(57)【要約】【課題】屋内や屋外で使用でき、小型軽量且つ操作が容易である携帯用椅子を提供する。【解決手段】腰に携帯して使用する携帯用椅子であって、略四角柱の形状で、小物を収納する袋空間部を内部に備える本体部材と、前記本体部材の前記略四角柱の側面の一の四角の面の角部に並べて配置された２つの帯形状の取り付け部材とを有し、前記本体部材は、前記四角の面の中央に開閉可能な線状ファスナを備え、前記袋空間部に前記小物を収納するときに前記線状ファスナを開口し、前記本体部材は、前記四角の面を除く３面の内面と前記袋空間部の外面とで構成される断面形状が略コの字形状の空気層部を内部に更に備え、前記空気層部は、空気を充填して密封されている、ことを特徴とする。【選択図】図１
2019110967.tif 000002
【特許請求の範囲】
【請求項１】
腰に携帯して使用する携帯用椅子であって、
略四角柱の形状で、小物を収納する袋空間部を内部に備える本体部材と、
前記本体部材の前記略四角柱の側面の一の四角の面の角部に並べて配置された２つの帯形状の取り付け部材と
を有し、
前記本体部材は、前記四角の面の中央に開閉可能な線状ファスナを備え、
前記袋空間部に前記小物を収納するときに前記線状ファスナを開口し、
前記本体部材は、前記四角の面を除く３面の内面と前記袋空間部の外面とで構成される断面形状が略コの字形状の空気層部を内部に更に備え、
前記空気層部は、空気を充填して密封されている、
ことを特徴とする携帯用椅子。
【請求項２】
携帯時に、前記本体部材の前記略四角柱を横にして、前記取り付け部材の２つの帯の一端を前記腰にそれぞれ巻き付けて、携帯する、
ことを特徴とする、請求項１に記載の携帯用椅子。
【請求項３】
椅子として使用時に、携帯している前記本体部材をお尻の下方向に略９０度回転して、該本体部材の側面に座ることができる、
ことを特徴とする、請求項１または請求項２に記載の携帯用椅子。
【発明の詳細な説明】
【技術分野】
【０００１】
本発明は、屋内や屋外で使用できる携帯可能な携帯用椅子に関する。また、本発明は小型軽量且つ操作が容易な携帯用椅子に関する。
【背景技術】
【０００２】
特許文献１では、屋内外任意休息用の携帯用椅子に関するもので、該可撓性樹脂からなる所定高の内部エアー箱型式本体に於ける上下拡縮手段形成のため、上部の平面形状ほぼ長方形の座時臀部接面（以下座面と言う）に、若しくは、下部底板に密開封可能なキャップ式エアー給排手段を配し、かつ、前記上下面によって挟接される中間胴部を水平方向断面ほぼ楕円形の中空箱型周囲多段の横蛇腹状に設け、かつ、該横蛇腹形成の各襞面の央部周状に山型状の折れ目（以下中襞と言う）を設けて広襞巾化可能に形成するものとし、本体上下垂直方向拡縮時、該中襞の山型形状可変可能に設けて胴部蛇腹間隔広大設定可能に設けて、胴部蛇腹段数及び同圧縮時の全厚低減化可能に構成されたエアー給排折り畳み式携帯用椅子に関する技術を開示している。特許文献２では、３本のロッドをヒンジ部によって揺動自在に結合して、ヒンジ部を中心に畳んで重合された状態とヒンジ部を中心に展開された状態とに転換可能とされ、ヒンジ部より下方側を脚部とし、ヒンジ部より上方側に着座部が配置されて椅子とされ、前記ヒンジ部は、３本のロッドのうち第１及び第２のロッドが第３のロッドを間に挟んで互いに重合及び展開可能とされ、しかも、互いに展開された前記第１及び第２のロッドの各軸線上を通る仮想平面に対して前記第３のロッドが角度を持って展開可能とされていることを特徴とする携帯用椅子に関する技術を開示している。特許文献３では、管状の本体の両端に内側に折り畳むことのできる上４ 本、下４ 本の脚部を本体軸方向から見てＸ字になるように支持することができる支持部と、この上脚上端部に水平な天板部を形成し、この天板部には両端を支持棒によって支えられたシート部の、当該支持棒両端部に形成された突起が着脱可能な差し込み穴を形成し、上記管状の本体の両端にはシート部を本体内に丸めて収納するための蓋となるキャップを設けたことを特徴とする携帯用椅子に関する技術を開示している。
【先行技術文献】
【特許文献】
【０００３】
【特許文献１】特開２０１６−８６９９２号公報
【特許文献２】特開２０１２−２３５９６８号公報
【特許文献３】特開２００６−８７８６７号公報
【発明の概要】
【発明が解決しようとする課題】
【０００４】
しかしながら、特許文献１乃至特許文献３に開示されている技術では、大型のため、持ち運び時に使用者に負担が生じる場合がある。また、特許文献１乃至特許文献３に開示されている技術では、使用時に椅子を組立ておよび配置するための作業が発生する場合がある。
【０００５】
本発明は、屋内や屋外で使用でき、携帯可能な携帯用椅子であって、小型軽量且つ操作が容易な携帯用椅子を提供することを目的とする。
【課題を解決するための手段】
【０００６】
上記課題を解決するために、本発明の一つの実施形態は、腰に携帯して使用する携帯用椅子であって、略四角柱の形状で、小物を収納する袋空間部を内部に備える本体部材と、前記本体部材の前記略四角柱の側面の一の四角の面の角部に並べて配置された２つの帯形状の取り付け部材とを有し、前記本体部材は、前記四角の面の中央に開閉可能な線状ファスナを備え、前記袋空間部に前記小物を収納するときに前記線状ファスナを開口し、前記本体部材は、前記四角の面を除く３面の内面と前記袋空間部の外面とで構成される断面形状が略コの字形状の空気層部を内部に更に備え、前記空気層部は、空気を充填して密封されている、ことを特徴とする携帯用椅子を提供する。また、本発明の他の実施形態は、上記の携帯用椅子であって、携帯時に、前記本体部材の前記略四角柱を横にして、前記取り付け部材の２つの帯の一端を前記腰にそれぞれ巻き付けて、携帯する、ことを特徴とする携帯用椅子であってもよい。また、本発明の他の実施形態は、上記のいずれか一つの携帯用椅子であって、椅子として使用時に、携帯している前記本体部材をお尻の下方向に略９０度回転して、該本体部材の側面に座ることができる、ことを特徴とする携帯用椅子であってもよい。
【発明の効果】
【０００７】
本発明に係る携帯用椅子によれば、屋内や屋外で使用でき、小型軽量且つ操作が容易である。
【図面の簡単な説明】
【０００８】
【図１】本発明の実施形態に係る携帯用椅子の一例を説明する説明図である。
【図２】本発明の実施形態に係る携帯用椅子の一例を説明する断面図である。
【図３】本発明の実施形態に係る携帯用椅子の使用例の一例を示す説明図である。
【発明を実施するための形態】
【０００９】
実施形態に係る携帯用椅子の例を用いて、本発明を説明する。なお、本発明は、以後に説明する携帯用椅子以外でも、携帯できる椅子であれば、いずれのものにも用いることができる。なお、本発明に係る携帯用椅子の大きさ、材質、色、柄は、特に限定されるものではない。
【００１０】
下記に、本発明に係る携帯用椅子の各構成を説明する。
【００１１】
図１乃至図３を用いて、本発明の実施形態に係る携帯用椅子の構成を説明する。ここで、図１は、本発明の実施形態に係る携帯用椅子１００の一例を説明する説明図である。図２（ａ）は、本発明の実施形態に係る携帯用椅子１００の中央の横断面図の一例である。図２（ｂ）は、本発明の実施形態に係る携帯用椅子１００の本体部材の平面断面図の一例である。図３（ａ）は、本発明の実施形態に係る携帯用椅子１００の使用例（携帯）の一例を示す説明図である。図３（ｂ）は、本発明の実施形態に係る携帯用椅子１００の使用例（椅子として使用）の一例を示す説明図である。なお、図１等に示す携帯用椅子の構成等は一例であり、本発明は図１等に示す携帯用椅子等に限定されるものではない。
【００１２】
図１乃至図３に示すように、本発明に係る携帯用椅子１００は、腰に携帯して使用する椅子である。携帯用椅子１００は、図１に示すように、小物を収納する略四角柱の形状の本体部材１０と、本体部材１０の略四角柱の側面の一の四角の面の角部に並べて配置された２つの帯形状の取り付け部材２０とを有する。本発明に係る携帯用椅子１００は、携帯することができ、屋内や屋外で使用することができる。なお、本発明に係る携帯用椅子の大きさおよび材質は、特に限定されるものではない。本発明に係る携帯用椅子の大きさおよび材質は、実験および設計で予め定めることができる。本発明に係る携帯用椅子の材質は、例えば合成樹脂その他所望の強度を有する軽量の部材を用いてもよいし、防水加工の生地を用いてもよい。
【００１３】
本体部材１０は、図１に示すように、略四角柱の形状である。本体部材１０は、小物を収納する収納部１１と、四角の面（側面）の中央に開閉可能な線状ファスナ１２とを備える。収納部１１は、図２（ａ）および図２（ｂ）に示すように、その内部に小物を配置して収納する袋空間部１１Ａを備える。本体部材１０は、線状ファスナ１２を開口して袋空間部１１Ａ（収納部１１）に小物を配置することができ、線状ファスナ１２を閉鎖して袋空間部１１Ａ（収納部１１）に小物を保持することができる。
【００１４】
本発明に係る本体部材１０は、図２（ａ）および図２（ｂ）に示すように、線状ファスナ１２がある四角の面（側面）を除く３面の内面と袋空間部１１Ａの外面とで構成される断面形状が略コの字形状の空気層部１１Ｂを内部に備える。空気層部１１Ｂは、空気または気体を充填して密封されている。このため、空気層部１１Ｂは、外圧などの衝撃の緩衝材（椅子のクッション）として機能することができる。また、本発明に係る携帯用椅子１００によれば、空気または気体を充填した空気層部を用いることができるので、椅子を軽量とすることができ、携帯時の腰への負担を軽減することができる。なお、空気層部１１Ｂに充填する空気または気体の種類は、特に限定されない。
【００１５】
取り付け部材２０は、図１に示すように、２つの帯形状の部材である。取り付け部材２０は、使用時に使用者に携帯用椅子１００を取り付ける（携帯させる）部材である。取り付け部材２０は、図１に示すように、収納部１１（本体部材１０）の略四角柱の側面の一の四角の面の角部に並べて配置されている。取り付け部材２０は、図３（ａ）および図３（ｂ）に示すように、携帯時に取り付け部材の２つの帯の一端（図１の２１）を使用者の腰（例えばベルト）にそれぞれ巻き付けて、使用者の腰に本体部材１０（携帯用椅子１００）の略四角柱を横にして取り付けることができる。本発明に係る携帯用椅子１００は、取り付け部材２０を用いて、本体部材１０を使用者のベルト位置から約１２０〜１６０ｍｍ下げた位置に配置してもよい。これにより、本発明に係る携帯用椅子１００は、使用者がしゃがんだときに、お尻の位置に本体部材１０を配置することができる。
【００１６】
図３（ａ）に示すように、使用者は、携帯時に、本体部材１０の略四角柱を横にして、取り付け部材の２つの帯の一端を腰にそれぞれ巻き付けて、携帯用椅子１００を携帯することができる。また、図３（ｂ）に示すように、使用者は、椅子として使用時に、携帯している本体部材１０をお尻の下方向に略９０度回転して（図中のＭｂ）、本体部材１０の側面に座ることができる。これにより、本発明に係る携帯用椅子１００によれば、両手を自由に使用しながら、座ったり、立ったりすることができる。
【００１７】
以上のとおり、本発明に係る携帯用椅子１００によれば、屋内や屋外で使用でき、小型軽量且つ操作を容易とすることができる。また、本発明に係る携帯用椅子１００によれば、軽量で携帯し易く、簡易な構造で低価格の携帯用椅子を提供することができる。また、本発明に係る携帯用椅子１００によれば、小物入れ（ポシェットなど）としても使用でき、ウエストポーチの様にカジュアルな服装でも合わせることができ、デザイン性の高い椅子を実現することができる。
【００１８】
また、本発明に係る携帯用椅子１００によれば、空気層部を用いることができるので、座った時に安定感があり、凹凸面（砂利の上など）でも座ることができる。また、本発明に係る携帯用椅子１００によれば、しゃがんだり、立ち上がったりが多い畑仕事のときに使用することができ、両手を自由に使うことができ、軽量で作業への負担も少なく、道具ケースとしても利用でき、仕事の効率を向上することができる。また、本発明に係る携帯用椅子１００によれば、園芸やアウトドアにも利用でき、シンプルな形なので、街中につけて歩いても違和感がない携帯用椅子を実現することができる。
【００１９】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２０】
１００  ：  携帯用椅子
１０  ：  本体部材
１１  ：  収納部
１１Ａ：  袋空間部
１１Ｂ：  空気層部
１２  ：  線状ファスナ
２０  ：  取り付け部材
２１  ：  ベルト巻き付け部
【図１】
2019110967.tif 000003
【図２】
2019110967.tif 000004
【図３】
2019110967.tif 000005